(57)【特許請求の範囲】
【請求項１】
遊技物を有する遊技盤と、前記遊技盤に遊技球を発射する発射装置とを有し、前記遊技盤に入賞口を形成し、前記発射装置から発射されて上方から落下する遊技球を前記入賞口に導くべく、前記発射装置をハンドル操作する遊技機において、
前記入賞口は、斜め上方に開口した入口を有する球受け部材を備え、
前記入口の下端縁には、前記球受け部材と一体成形されて前記入口の前方に突出するゲージ片が形成され、前記入口の上端縁前方には、前記遊技盤にゲージ部材が装着されて、前記ゲージ片と前記ゲージ部材とによって前記入賞口のゲージが形成され、
前記入口の上端縁と前記ゲージ部材上に位置する遊技球が、前記ゲージ部材の正規の位置では自重で落下し、前記ゲージ部材が下方調整された場合には、前記入口の上端縁と前記ゲージ部材上に載置されるように、前記ゲージ部材と前記入口の上端縁との位置を設定したことを特徴とする遊技機。
【発明の詳細な説明】
【技術分野】
【０００１】
本発明は、パチンコ機等の遊技機に関し、詳しくは、入賞口のゲージ調整を規制することができる遊技機に関する。
【背景技術】
【０００２】
一般に、遊技機、例えばパチンコ機は、球受け皿に滞留している遊技球が、発射ハンドルの操作に応じて発射する発射装置によって遊技盤上に打ち出された後、遊技盤面上の障害釘や風車等に導かれつつ盤面を流下して、各種入賞口に入球し、或いは入球せずに遊技盤下部のアウト口に流入するように構成されている（例えば、特許文献１参照）。
【０００３】
このようなパチンコ機では、一般入賞口に入球した際にそれに対応した個数の遊技球が払い出され、また始動チャッカー（始動入賞口）に入賞した際にはこれに基づいて大当たり抽選が行われると共に所定数の遊技球が払い出され、当該抽選の結果に応じて、遊技盤の中央部分に設けられた液晶等からなる図柄表示装置の画面上で所定の演出表示が行われる。大当たりの発生時には、アタッカーと呼ばれる大入賞口が開放し、入球に対応して多量の遊技球が払い出される状態となる。
【０００４】
【特許文献１】特開２００３−２３６２１０号公報
【発明の開示】
【発明が解決しようとする課題】
【０００５】
ところで、上記のようなパチンコ機では、上記の入賞口の入口に命釘と呼ばれる２本の釘が打たれ、その２本の釘の間を遊技球が通過すると入賞口に入るようになっている。そして、この２本の釘の間隔（ケージ）は設定された値（１１ｍｍ）以上になるように規定されており、遊技機メーカでは、規定の入賞確率となるように、パチンコ機の製造時に命釘を所定の位置に装着し、ゲージを所定の間隔に設定している。
【０００６】
しかしながら、金属製の釘は容易に傾きなどを変更することができるので、このような細工をすることで入賞確率を変動させることが可能である。これによると、店舗側で命釘のゲージ調整を変更して、入賞確率を意図的に変えることができることになり、例えば、命釘の傾きを調整して遊技球を入賞口に入り難くすることで、遊技者の興味が殺がれ、メーカ側が意図する遊技性が遊技者に伝わらないという問題があった。
【０００７】
本発明は、このような問題に対処するものであって、入賞口のゲージ調整を規制して、製造時に設定された入賞確率が維持されるようにすることで、メーカ側が意図する適正な遊技性を遊技者に伝えることができる遊技機を提供することを目的とする。
【課題を解決するための手段】
【０００８】
この目的を達成するために、本発明は、遊技物を有する遊技盤と、前記遊技盤に遊技球を発射する発射装置とを有し、前記遊技盤に入賞口を形成し、前記発射装置から発射されて上方から落下する遊技球を前記入賞口に導くべく、前記発射装置をハンドル操作する遊技機において、前記入賞口は、斜め上方に開口した入口を有する球受け部材を備え、前記入口の下端縁には、前記球受け部材と一体成形されて前記入口の前方に突出するゲージ片が形成され、前記入口の上端縁前方には、前記遊技盤にゲージ部材が装着されて、前記ゲージ片と前記ゲージ部材とによって前記入賞口のゲージが形成され、前記入口の上端縁と前記ゲージ部材上に位置する遊技球が、前記ゲージ部材の正規の位置では自重で落下し、前記ゲージ部材が下方調整された場合には、前記入口の上端縁と前記ゲージ部材上に載置されるように、前記ゲージ部材と前記入口の上端縁との位置を設定したことを特徴とする。
【０００９】
このような本発明によると、メーカから出荷後に、ゲージ部材の傾き等を変えることで、ゲージ部材を下方調整してゲージの間隔を狭めるような調整がなされた場合には、遊技機の使用中に発射装置から打ち出されて流下する遊技球が、球受け部材の入口の上端縁とゲージ部材上に載置されて停止することになり、安定的な遊技機の使用ができなくなる。
【００１０】
これによって、メーカ側の設計に反したゲージ調整を店舗側が行ったことを遊技者が簡単に見抜くことができ、メーカ側や遊技機の監督官庁（警察庁）に報知することができることになり、このような不正なゲージ調整を抑制することができる。
【発明の効果】
【００１１】
前述した特徴によって、本発明は、入賞口のゲージ調整を規制して、製造時に設定された入賞確率が維持されるようにすることで、メーカ側が意図する適正な遊技性を遊技者に伝えることができる遊技機を提供することができる。
【発明を実施するための最良の形態】
【００１２】
以下、本発明の実施形態の遊技機としてのパチンコ機を図に基づいて説明する。
【００１３】
図１は、本発明の実施形態の遊技機としてのパチンコ機の正面図である。図２は、図１の背面図である。
【００１４】
図１に示すように、遊技機としてのパチンコ機１１は、枠状の筐体１２、遊技盤保持枠１３、及び前面パネル１４等で構成されている。遊技盤保持枠１３は、遊技盤１６を有して、筐体１２に回転自在に設けてある。前面パネル１４は、遊技盤保持枠１３を開閉できるように、筐体１２に回転自在に設けてある。前面パネル１４は、遊技盤１６を覆うガラスを有して遊技盤１６を開閉するガラス枠１８と、遊技球としてのパチンコ球を発射する発射装置３１及びこの発射装置３１を操作する発射ハンドル４１を設けてある皿ユニット１９とを有している。
【００１５】
遊技盤１６の前面には、液晶からなる特別図柄表示画面２２を有するエスカッション２０と、複数の入賞口１５と、特別入賞口１７と、どの入賞口にも入らなかったパチンコ球が遊技盤１６から排出されるアウト口２１と、不図示の障害釘等を設けてある。特別図柄表示画面２２は、遊技盤１６のほぼ中央に位置してエスカッション２０の開口２０ａから露出するように設けてある。
【００１６】
図２に示すように、パチンコ機１１の背面側には、島に設置してある貯留装置から一度に多数のパチンコ球が送り込まれても受け止めることのできる賞球タンク２３と、賞球タンク２３から流出する賞球を案内する横案内路２４及び不図示の縦案内路と、表側に特別図柄表示画面２２を備えた液晶ユニット２５と、サブ制御基板２６と、パチンコ機全体を制御する主制御基板２７と、パチンコ機全体の電源となる電源ユニット２８と、賞球の払い出し制御を行う払い出し制御基板２９と、発射装置３１を発射制御する発射制御基板３０等を備えてある。
【００１７】
主制御基板２７は、パチンコ機全体を制御するため、パチンコ機１の動作全体を管理するシステムプログラム及び遊技用の実行プログラムが予め記憶された半導体メモリ等からなる記憶部と、これらのプログラムを実行するマイクロプロセッサ（ＭＰＵ）とを備えている。
【００１８】
以上の構成において、遊技者が皿ユニット１９にパチンコ球を供給して、発射ハンドル４１の第１指掛け突起４７の左側に右手の親指を掛け、第２、第３指掛け突起４７，４８の間に人差し指を掛け、第２、第３指掛け突起４８，４９の間に中指を掛け、第３指掛け突起４９の右側に薬指、小指を掛けて、発射ハンドル４１を回転操作すると、発射装置３１が発射制御基板３０の制御によってパチンコ球を遊技盤１６に発射する。発射されたパチンコ球は、遊技盤１６を転動落下して、いずれかの入賞口１５，１７に入球すると、パチンコ機１１の背面に貯留してあるパチンコ球が、入賞口１５，１７に応じた数だけ皿ユニット１９に賞球として供給される。パチンコ球が、どこの入賞口１５，１７にも入球しない場合、アウト口２１からアウト球として排出される。
【００１９】
図３は、本発明の実施形態に係るパチンコ機１１の入賞口１５を示した説明図である。入賞口１５は、前面の化粧部材を除くと、遊技盤１６に形成された開口部１５Ａと、その開口部１５Ａを覆い、斜め上方に開口した入口１５Ｂ10を有する球受け部材（チェッカー本体）１５Ｂからなり、この球受け部材１５Ｂが遊技盤１６に装着されている。
【００２０】
そして、入口１５Ｂ10の下端縁１５Ｂ11には、球受け部材１５Ｂと一体成形されて入口１５Ｂ10の前方に突出するゲージ片１５Ｂ13が形成され、入口１５Ｂ10の上端縁１５Ｂ12の前方には、遊技盤１６にゲージ部材１５Ｃ（釘）が装着されて、ゲージ片１５Ｂ13とゲージ部材１５Ｃとによって入賞口１５のゲージＧが形成されている。
【００２１】
また、ゲージ部材１５Ｃと入口１５Ｂ10の上端縁１５Ｂ12との位置関係は、入口１５Ｂ10の上端縁１５Ｂ12とゲージ部材１５Ｃ上に位置するパチンコ球（遊技球）Ｐが、ゲージ部材１５Ｃの正規の位置では自重で落下し、ゲージ部材１５Ｃが下方調整された場合には、入口１５Ｂ10の上端縁１５Ｂ12とゲージ部材１５Ｃ上に載置されるように設定されている。
【００２２】
すなわち、上端縁１５Ｂ12の上端Ｓを通る垂直線Ｌｓと、その上端Ｓとゲージ部材１５Ｃ上に位置するパチンコ球Ｐの重心Ｏを通る垂直線Ｌｏとの間隔ｘが、僅かにゲージ部材１５Ｃの逆側（図中＋側）になるように、ゲージ部材１５Ｃと入口１５Ｂ10の上端縁１５Ｂ12との位置関係が設定されており、この正規な位置関係では、図示のように、上端縁１５Ｂ12とゲージ部材１５Ｃ上に位置するパチンコ球Ｐは、図中＋方向に転がって落下するようになっている。
【００２３】
これに対して、ゲージ部材１５Ｃの傾きを変えるなどして、ゲージ部材１５Ｃを下方調整してゲージＧを狭める変更調整を行うと、前述した間隔ｘがゲージ部材１５Ｃ側（図中−側）に移動して、パチンコ球Ｐは上端縁１５Ｂ12とゲージ部材１５Ｃ上に載置されて停止してしまうことになる。
【００２４】
これによると、入賞口１５のゲージＧを形成するゲージ片１５Ｂ13とゲージ部材１５Ｃの内、一方のゲージ片１５Ｂ13は球受け部材１５Ｂと一体成形されているので位置変更が不可能であり、他方のゲージ部材１５ＣをゲージＧが狭まるように調整した場合には、前述したようにパチンコ球Ｐが上端縁１５Ｂ12とゲージ部材１５Ｃ上に載置されて停止する状態になって、正常なパチンコ機１の継続使用ができなくなる。
【００２５】
したがって、メーカから出荷後に、ゲージ部材１５Ｃの傾き等を調整することで、ゲージ部材１５Ｃを下方調整してゲージＧを狭めるような調整がなされた場合には、安定的な遊技機の使用ができなくなるので、メーカ側の設計に反したゲージ調整がなされていることを遊技者が簡単に見抜くことができる。これによって、メーカ側や遊技機の監督官庁（警察庁）に不正調整を報知することができ、このような不正なゲージ調整を抑制することができる。
【図面の簡単な説明】
【００２６】
【図１】本発明の実施形態に係る遊技機としてのパチンコ機の正面図である。
【図２】図１の背面図である。
【図３】本発明の実施形態に係る遊技機の入賞口を説明する説明図である。
【符号の説明】
【００２７】
１１  パチンコ機（遊技機）
１５，１７  入賞口
１６  遊技盤
３０ 発射制御基板
３１  発射装置
４１  発射ハンドル
１５Ａ  開口部
１５Ｂ  球受け部材（チェッカー本体）
１５Ｂ10  入口
１５Ｂ11  下端縁
１５Ｂ12  上端縁
１５Ｂ13  ゲージ片
１５Ｃ  ゲージ部材
【図１】
0004730741.tif 000002
【図２】
0004730741.tif 000003
【図３】
0004730741.tif 000004